(57)【要約】【課題】  カバー体を変更することなしにカバー体から輝度の高い光を放出可能であるばかりかカバー体から放出する光の位置や放射方向を適宜選択して製造が可能である表示灯を提供する。【解決手段】  透光性を有する筒状であるカバー体２の開放端部２１に光源体３を配置してカバー体２内に光源体３からの光を軸線方向に沿って照射可能とするとともに、カバー体２の内周よりも小径の透光性を有する筒体状の枠体７１内に複数の反射プリズム８Ａを平面視において中心から放射状に所定の角度で配置させた光反射部材７の少なくとも１個を前記カバー体２内に互いの中心軸線を一致させて嵌挿させ、カバー体２内に照射させた光源体３からの光を各光反射部材７Ａにより外周方向に屈曲させてカバー体２を通して放射させる。【選択図】図１
2020042911.tif 000002
【特許請求の範囲】
【請求項１】
透光性を有する筒状であるカバー体の開放端部に光源体を配置して前記カバー体内に前記光源体からの光を軸線方向に沿って照射可能とするとともに、前記カバー体の内周よりも小径の透光性を有する筒体状の枠体内に複数の反射プリズムを平面視において中心から放射状に所定の角度で配置させた光反射部材の少なくとも１個を前記カバー体内に互いの中心軸線を一致させて嵌挿させ、前記カバー体内に照射させた光源体からの光を前記各光反射部材により外周方向に屈曲させて前記カバー体を通して放射させることを特徴とする表示灯。
【請求項２】
前記光放射部材に用いられる複数の反射プリズムが同一形状であることを特徴とする請求項１記載の表示灯。
【請求項３】
前記光放射部材に用いられる複数の反射プリズムが複数種類の形状であることを特徴とする請求項１記載の表示灯。
【請求項４】
前記カバー体と前記光放射部材とが異なる素材により形成されていることを特徴とする請求項１，２または３記載の表示灯。
【請求項５】
前記カバー体の開放端部に持ち手が設置されているとともにその内部に前記光源体の電源であるバッテリー、電源スイッチなどの電装品が内装されていることを特徴とする請求項１，２，３または４記載の表示灯。
【発明の詳細な説明】
【技術分野】
【０００１】
本発明は、警告灯、信号灯などの表示灯に関するものである。
【背景技術】
【０００２】
従来、例えば道路、鉄路、建物などの現場において、運転者や歩行者などに対して各種の警告や信号を与えるなどのために、光を放出する棒状の光表示部を備えた手持ち式の表示灯が用いられている。
【０００３】
これらの表示灯として例えば実開平１−１６８９０２号公報（特許文献１）などに提示されているが、この公報に提示されている表示灯は図７に示すように、細長の基板１ａに複数のＬＥＤ電球などの光源体２ａをその光軸を前後方向（横方向）に向けて所定間隔で設置するとともにその周囲を筒状の透光性を有するカバー体３ａで覆い、カバー体３ａを通して光源体２ａからの光を放出させるものである。
【０００４】
ところで、前記従来の表示灯は多数のＬＥＤ電球などの光源体２ａを使用することから配線などが複雑で製造が容易でないとともに故障も多くなるとともに価格も高価となり、また、消費電力も大きいことから電池の消耗も多く長時間の使用に耐えないばかりか交換費用なども嵩むという問題がある。
【０００５】
そこで、例えば図８に示したように、透光性を有して所定の長さを有する筒状を呈するカバー体３ａの開放端部にＬＥＤ電球などの光源体２ａを配してカバー体３ａ内に前記光源体２ａからの光を軸線方向に沿って照射するとともに、前記光源体２ａからの光を前記カバー体３ａに備えられた突起状のプリズム４ａにより前記軸線と交差する方向へ放射する照明装置が例えば特開２００１−２０２８０４号公報（特許文献２）に提示されている
。
【０００６】
この公報に提示されている照明装置は、カバー体３ａの開放端部にＬＥＤ電球などの光源体２ａを配してカバー体３ａ内に前記光源体２ａからの光を軸線方向に沿って照射するものであり、これを表示灯に利用すると前記図７に示した従来例に比べて少ない光源体２ａにより製作が可能であることから経済的に有利であり、殊に近頃、高輝度のＬＥＤ電球の出現により実用性が増している。
【０００７】
しかしながら、前記図８に示した従来の照明装置はカバー体３ａにプリズム４ａを一体的に形成したものであり、プリズム４ａの形態によりカバー体３ａから放射する光の位置や放射方向が決められてしまうことからカバー体からの光の放射位置や放射方向などの放射状態の変更はカバー体３ａの変更となりきわめて煩雑であり、殊に、輝度の高い光を放射させるにはカバー体３ａをプリズムに適した光学材により形成しなければならず価格も高くなるという問題がある。
【先行技術文献】
【特許文献】
【０００８】
【特許文献１】実開平１−１６８９０２号公報
【特許文献２】特開２００１−２０２８０４号公報
【発明の概要】
【発明が解決しようとする課題】
【０００９】
本発明は前記課題を解決するためになされたものであり、カバー体を変更することなしにカバー体から輝度の高い光を放出可能であるばかりかカバー体から放出する光の位置や放射方向を適宜選択して製造が可能である表示灯を提供することを課題とする。
【課題を解決するための手段】
【００１０】
前記課題を解決するためになされた本発明である表示灯は、透光性を有する筒状であるカバー体の開放端部に光源体を配置して前記カバー体内に前記光源体からの光を軸線方向に沿って照射可能とするとともに、前記カバー体の内周よりも小径の透光性を有する筒体状の枠体内に複数の反射プリズムを平面視において中心から放射状に所定の角度で配置させた光反射部材の少なくとも１個を前記カバー体内に互いの中心軸線を一致させて嵌挿させ、前記カバー体内に照射させた光源体からの光を前記各光反射部材により外周方向に屈曲させて前記カバー体を通して放射させることを特徴とする。
【００１１】
また、本発明において前記光放射部材に用いられる複数の反射プリズムが同一形状である場合には全体としてカバー体の全体に均一な表示の放射光を提供することが可能であり
、前記光放射部材に用いられる複数の反射プリズムが複数種類の形状である場合には変化のある放射光を提供することができる。
【００１２】
更に、本発明において、前記カバー体と前記光放射部材とが異なる素材により形成されていることで、輝度を高めるとともに製造経費の節減を図ることができる。
【００１３】
更にまた、前記カバー体の開放端部に持ち手が設置されているとともにその内部に前記光源体の電源であるバッテリー、電源スイッチなどの電装品が内装されていることで手持ち式の表示具として警告灯や信号灯などとして使用ができる。
【発明の効果】
【００１４】
本発明によると、少ない電力で使用が可能であることは言うまでもなく、カバー体を変更することなしにカバー体から輝度の高い光を放出可能であるばかりかカバー体から放出する光の位置や放射方向を適宜選択して製造が可能である表示灯を提供することができる
。
【図面の簡単な説明】
【００１５】
【図１】本発明の好ましい実施の形態を示す縦断面図。
【図２】図１に示した実施の形態に用いられる光放射部材を示すものであり、（ａ）は斜視図、（ｂ）は平面図、（ｃ）は（ｂ）に示したＣ１−Ｃ１線に沿う断面図、（ｄ）は（ｂ）に示したＤ１−Ｄ１線に沿う断面図、（ｅ）は一部を切截した斜視図。
【図３】本発明の異なる実施の形態を示す縦断面図。
【図４】図３に示した実施の形態に用いられる光放射部材の一部を示すものであり、（ａ）は斜視図、（ｂ）は平面図、（ｃ）は（ｂ）に示したＣ２−Ｃ２線に沿う断面図、（ｄ）は（ｂ）に示したＤ２−Ｄ２線に沿う断面図。
【図５】本発明の更に異なる実施の形態を示す縦断面図。
【図６】図４に示した実施の形態に用いられる光放射部材の一部を示すものであり、（ａ）は斜視図、（ｂ）は平面図、（ｃ）は正面図。
【図７】従来例を示す説明図、
【図８】異なる従来例を示す説明図。
【発明を実施するための形態】
【００１６】
次に、本発明である反射部材の実施の形態につき図面を参照して詳述する。
【００１７】
図１および図２は、本発明を手持ち式の警告灯や信号灯などとして実施した場合の好ましい形態を示すものであり、表示灯１は所定の長さを有する一方を塞いだ筒状を呈する透光性を有するカバー体２の開放端部２１にＬＥＤ電球などの光源体３を配置して前記カバ
ー体２内に前記光源体３からの光を軸線方向に沿って照射可能とされており、前記カバー体２の開放端部２１に筒状の持ち手４が設置されているとともにその内部に前記光源体３の電源であるバッテリー５、電源スイッチ６その他の電装品が内装されている。
【００１８】
また、前記カバー体２内に、透光性を有する素材（可能であればプリズムに適した素材
）により形成された全体が筒状である光反射部材７Ａの複数個（本実施の形態では４個）がその中心軸線を前記カバー体の中心軸線に合致させて重置状態に内装されている。
【００１９】
殊に、本実施の形態における前記光反射部材７Ａは図２に示すように、透光性を有する例えば光学的に優れた合成樹脂により成形され、全体が前記カバー体２の内周２２に内接可能な径を有する両端を開放した筒状の枠体７１内に同一形状である複数（本実施の形態では６個）の反射プリズム８Ａが平面視において中心から放射状に所定の角度（本実施の形態では６０度）に配置されている。
【００２０】
更に、詳細に説明すると、各反射プリズム８Ａは全体として一部を切断した直方体状に形成されており、互いに平行な頂面８１および底面８２と、互いに対向する側面８３，８
４と、前記頂面８１および底面８２に垂直であるとともに且つ前記側面８３，８４とも垂直な側面である照射面８５と、前記底面８２および垂直な側面８３，８４と垂直であるとともに前記頂面８１と底面８２との間に４５度の角度で隣接する側面である反射面８６とを有する全反射プリズムである。特に、本実施の形態では前記各反射プリズム８Ａと前記枠体７１とは一体成型であり、枠体７の外周７３に形成された垂直面が前記各反射プリズム８Ａの前記照射面８５を形成している。
【００２１】
尚、本実施の形態では前記反射プリズム８Ａは枠体７１と一体に形成されており、照射面８５は枠体７１の外周面に形成されている。
【００２２】
また、前記枠体７１の上端縁７２と下端縁７３には互いの光反射部材７Ａを重ねてカバ
ー体２内に嵌挿した際に回転方向の重ね位置を決めるための嵌合凸部７４と嵌合凹部７５が形成されており、光反射部材７Ａを重ねてカバー体２に嵌挿させたときに下側の嵌合凸部７４と上側の嵌合凹部７５が互いに嵌合して位置決めがなされる。
【００２３】
以上の構成を有する本実施の形態は、電源スイッチ６をオン操作することにより電源であるバッテリー５から電流が流れて光源体３であるＬＥＤ電球が点灯し、前記カバー体２内に前記光源体３からの光が軸線方向に沿って照射され、この光がカバー体２内に嵌挿されている光反射部材７Ａの反射プリズム８Ａ箇所で屈曲してカバー体２を介して外側に向けて反射する。
【００２４】
このとき、本実施の形態では反射プリズム８Ａの反射面８６が４５度の角度を有する全反射プリズムであり軸線に沿う前記光源体３からの光を直角方向に反射させてカバー体２の外側に照射されるが、反射プリズム８Ａの反射角度はこれに限るものでなく、前記光源体３の照射角度やカバー体２の外側に照射される光の照射角度に応じて反射角度が合致する角度の反射プリズム８Ａを選択して使用する。
【００２５】
また、反射プリズム８Ａは光反射部材７Ａの全てにおいて同一形状のものを使用してもよいが、例えばそれぞれ異なる反射角度の反射プリズム８Ａを有する光反射部材を組み合わせ、或いは異なる反射角度の反射プリズム８Ａを組み合わせて形成した光反射部材７Ａを用いるなど使用目的や前記光源体３の照射角度などに合わせて適宜選択して使用することができる。
【００２６】
本実施の形態によると、前記光源体３からの光が枠体７１を含めて光反射部材７Ａ全体が発光するのでカバー体２全体が輝くことはいうまでもなく光反射部材７Ａの反射プリズム８Ａの部分がスポット的に輝き全体として極めて視認に優れた表示効果を発揮することになり、特に表示灯１を手に持って揺動させた場合にも視認性が失効する心配がない。
【００２７】
尚、本実施の形態では前記光源体３は高輝度の発光ダイオードにより形成されているが
、発光ダイオードは基本的に前面に凸レンズを備えて所定の照射角度で発光するので、そのままの状態でカバー体２内に軸線方向に向けて照射してもよいが、発光ダイオードの前面に更に集光レンズを配置して（図示せず）、発光ダイオードからの光を束として照射させてもよく、更には光反射部材７Ａの各反射プリズム８Ａに対向して６つの発光ダイオードを円形に配置してもよい。
【００２８】
図３および図４は本発明の異なる実施の形態を示すものであり、全体の構成ならびに使用方法ならびに作用・効果については前記図１および図２に示した実施の形態とほぼ同様であるが、光反射部材７Ｂを構成する反射プリズムの構成が異なる。
【００２９】
具体的には、大きさの異なる２種類の反射プリズム８Ｂ，８Ｃが平面視において互いに４５度の角度で交互に放射状に配置されている点が異なる。
【００３０】
従って、光反射部材７Ａを用いた前記図１および図２に示した表示灯１が均一模様の高輝度部を有する照射状態がカバー体２を通して表示されるのに対して、光反射部材７Ｂに代えた本実施の形態では大きさの異なる高輝度部が組み合わされた照射状態を表示することができる。
【００３１】
尚、図１乃至図４に示した実施の形態における光反射部材７Ａ，７Ｂの反射プリズム８Ａ，８Ｂおよび８Ｃなどの形状や大きさなどの選択ならびに数や配置はこれに限るものでなく、前記カバー体２の内周よりも小径の透光性を有する筒体状の枠体７１内に複数の反射プリズムを平面視において中心から放射状に所定の角度で配置させればよい。
【００３２】
また、図１乃至図４に示した実施の形態における光反射部材７Ａ，７Ｂの個数はこれに限るものでなく、自由に積層することが可能であるため、任意の個数の光反射部材７Ａ，７Ｂとそれに応じた長さのカバー体２を用意することで、例えば交通整理用の指示棒のように、ある程度の長さが求められる用途に向けた表示灯を容易に製造することができる（図示せず）。
【００３３】
図５および図６は本発明の更に異なる実施の形態を示すものであり、所定の長さを有する一方を塞いだ筒状を呈する透光性を有するカバー体２の開放端部２１にＬＥＤ電球などの光源体３を配置して前記カバー体２内に前記光源体３からの光を軸線方向に沿って照射可能とされており、前記カバー体２の開放端部２１に筒状の持ち手４が設置されているとともにその内部に前記光源体３の電源であるバッテリー５、電源スイッチ６その他の電装品が内装されている、と言う点に関しては前記図１乃至図４に記載した実施の形態と同様であるが、前記カバー体２内に嵌挿される光反射部材７Ｃが複数（本実施の形態では４つ
）の反射プリズム８Ｄを筒状の枠体７１に一体に且つ軸線方向に等分に分割した状態に形成されている点が異なる。
【００３４】
従って、本実施の形態では、予め、前記分割した状態の光反射部材７Ｃの一対を円筒状に組み合わせてカバー体２内に嵌挿し、これを持ち手４に取り付けるだけの簡単な作業で組み立てることができるととともに部品点数の減少を図ることができるという利点を有している。
【００３５】
尚、本実施の形態では、光反射部材７Ｃは反射プリズム８Ｄを軸線方向に等分に分割した場合を示したが、分割の数は特に限定されない。
【００３６】
また、例えば本実施の形態の光反射部材７Ｃを１つのみ使用し、半円柱形のカバー体を用いて光源体から放射される光を半円側のみに照射する表示灯とすれば、例えばトンネルの壁面や工事作業員の腰などに取り付けることで、円柱形のカバー体を用いた表示灯に比較してほぼ２倍の光を半円側から照射することができるため、より優れた視認性を発揮することができる（図示せず）。
【００３７】
以上のように本発明によれば、共通のカバー体を用いて同一種類のまたは異なる種類の形状の光反射部材を選択して所望の照射状態を示す表示灯を提供できるとともに共通の光反射部材を用いて異なる長さのカバー体に嵌挿させることで所望の長さの表示灯を提供することができ、加えて、カバー体と光反射部材とを別体としたので例えば光反射部材だけを光反射能力に優れた素材を用いて製造することが可能であり、経済的にも有利である。
【符号の説明】
【００３８】
１  表示灯、２  カバー体、３  光源体、４  持ち手、５  バッテリー、６  電源スイッチ、７Ａ，７Ｂ，７Ｃ  光反射部材、８Ａ，８Ｂ，８Ｃ，８Ｄ  反射プリズム、２１  開放端部、７１  枠体、７２  上端縁、７３  下端縁、７４  嵌合凸部、７５  嵌合凹部、８１  頂面、８２  底面、８３  側面、８４  側面、８５  照射面、８６  反射面
【図１】
2020042911.tif 000003
【図２】
2020042911.tif 000004
【図３】
2020042911.tif 000005
【図４】
2020042911.tif 000006
【図５】
2020042911.tif 000007
【図６】
2020042911.tif 000008
【図７】
2020042911.tif 000009
【図８】
2020042911.tif 000010